(57)【要約】【課題】簡便に検出し得る仕切りカードを用いて、紙葉類の取出し操作を制御する。【解決手段】投入部、取出し機構、色検知部、取出し制御部、判別ユニット、集積部、及び排除部を有する紙葉類処理装置において、投入部に有色領域をもつ仕切りカードと、被処理媒体を投入する。【選択図】図１
2007079695.tif 000002
【特許請求の範囲】
【請求項１】
作業単位毎に集積された紙葉類と、前記紙葉類上に重ねられ、両主面を有するカード状基材、及び前記カード基材の少なくとも一主面上に設けられた、カードを識別するための有色領域を含む仕切りカードとを有する１バッチ分の被処理媒体を、１または複数バッチ重ねて投入する投入部と、
前記被処理媒体を前記投入部から個々に取出す取出し機構と、
前記投入部の取り出し方向先端に配置された被処理媒体の色を検知する色検知部と、
前記色検知部からの検知情報に基づいて、取出し操作を制御する取出し制御部と、
前記被処理媒体の特徴を検知し、判別するための判別ユニットと、
前記判別ユニットにおける判別結果に基づいて前記紙葉類を集積する集積部と、
前記判別ユニットおける判別結果に基づいて前記集積部に集積されなかった前記紙葉類、及び前記仕切りカードを集積する排除部とを具備することを特徴とする紙葉類処理装置。
【請求項２】
前記仕切りカードは、前記集積された紙葉類の取り出し方向前端に重ねられ、前記両主面を有するカード状基材、少なくとも一主面の中央部に設けられ、紙葉類の識別情報が記録されたバーコード領域、及び前記バーコード領域の周囲に設けられ、カードの種類を識別するための有色領域を含むヘッダカードであることを特徴とする請求項１に記載の紙葉類処理装置。
【請求項３】
前記仕切りカードとして、両主面を有するカード状基材、少なくともその一主面に設けられたカードの種類を識別するための有色領域を含むトレーラカードを前記集積された紙葉類の取り出し方向後端にさらに設けることを特徴とする請求項２に記載の紙葉類処理装置。
【請求項４】
前記有色領域は、第１の色を有する第１の有色領域、及び第２の色を有する第２の有色領域を含み、前記色検知部は、前記第１の色を検知するための第１の色検知部と、前記第２の色を検知するための第２の色検知部とを備えることを特徴とする請求項１ないし３のいずれか１項に記載の紙葉類処理装置。
【請求項５】
紙葉類を検出及び判別して集積するための紙葉類処理装置に紙葉類を投入する際に、集積された前記紙葉類の作業単位の先端に仕切りカードとして配置されるヘッダカードであって、
両主面を有するカード状基材、一主面の中央部に設けられ、紙葉類の識別情報が記録されたバーコード領域、及び前記バーコード領域の周囲に設けられ、カードの種類を識別するための有色領域を含むことを特徴とするヘッダカード。
【請求項６】
前記有色領域は、第１の色を有する第１の有色領域、及び第２の色を有する第２の有色領域を含むことを特徴とする請求項５に記載のヘッダカード。
【発明の詳細な説明】
【技術分野】
【０００１】
本発明は、例えば紙幣等を判別処理するための紙葉類処理装置、及び取り扱う紙葉類を区分するための情報及びカードの種類等が記録されたヘッダカードに関する。
【背景技術】
【０００２】
従来、紙葉類処理装置では、小口のバッチ処理を行う目的で、ヘッダカード単体またはヘッダカードとトレーラカードを組み合わせ運用しているケースがある。通常、ヘッダカードには、カードの個別情報を示すバーコード、シリアル番号、顧客番号のほか、ヘッダカードであることを検知部に識別させるためのストライプや磁気パターン等が印刷されている。また、トレーラカードには、上記バーコードやシリアル番号はなく、ヘッダカードと区別するためのストライプや磁気パターンが印刷されている。さらにトレーラカードとして、オペレーターの視認性を高めるため、全面が着色されたものもある。
【０００３】
従来の紙葉類処理装置におけるヘッダカード、及びトレーラカードは、着色されたり、それぞれのカードで異なるコードを印字されて、オペレータまたは判別装置内の判別部でそのカードの種類が検知されていたが、それら従来のカードでは、必要に応じてバッチごとに供給を停止したり、または再開したりすることができなかった（例えば、特許文献１参照）。そのため、例えばバッチの境目で作業を停止したい場合や、紙葉類処理装置の制約によりバッチ間で時間的なインターバルをおきたい場合には、オペレータがタイミングを計って手作業で操作していた。
【特許文献１】特表２０００−５０３９５６号公報
【発明の開示】
【発明が解決しようとする課題】
【０００４】
本発明は、上記事情を鑑みて成されたものであり、簡便に検出し得る仕切りカードを用いて、紙葉類の取出し操作を制御し得る紙葉類処理装置を提供することを目的とする。
【課題を解決するための手段】
【０００５】
本発明の紙葉類処理装置は、作業単位毎に集積された紙葉類と、前記紙葉類上に重ねられ、両主面を有するカード状基材、及び前記カード基材の少なくとも一主面上に設けられた、カードを識別するための有色領域を含む仕切りカードとを有する１バッチ分の被処理媒体を、１または複数バッチ重ねて投入する投入部と、
前記被処理媒体を前記投入部から個々に取出す取出し機構と、
前記投入部の取り出し方向先端に配置された被処理媒体の色を検知する色検知部と、
前記色検知部からの検知情報に基づいて、取出し操作を制御する取出し制御部と、
前記被処理媒体の特徴を検知し、判別するための判別ユニットと、
前記判別ユニットにおける判別結果に基づいて前記紙葉類を集積する集積部と、
前記判別ユニットおける判別結果に基づいて前記集積部に集積されなかった前記紙葉類、及び前記仕切りカードを集積する排除部とを具備することを特徴とする。
【０００６】
本発明のヘッダカードは、紙葉類を検出及び判別して集積するための紙葉類処理装置に紙葉類を投入する際に、集積された前記紙葉類の作業単位の先端に仕切りカードとして配置されるヘッダカードであって、両主面を有するカード状基材、一主面の中央部に設けられ、紙葉類の識別情報が記録されたバーコード領域、及び前記バーコード領域の周囲に設けられ、カードの種類を識別するための有色領域を含むことを特徴とする。
【発明の効果】
【０００７】
本発明を用いると、紙葉類の取出し操作を容易に制御し得る。
【発明を実施するための最良の形態】
【０００８】
以下、図面を参照し、本発明の一実施形態について説明する。
【０００９】
図１は、本発明に係る紙葉類処理装置の一例として、例えば、複数の銀行から送られた銀行券（紙葉類）を検査して再使用するため結束する銀行券処理装置１（以下、単に処理装置１と称する）の概略構成図を示す。
【００１０】
処理装置１は、後述するヘッダカードを間に挟んだ集積状態の複数枚の銀行券を投入する投入部２を有する。ヘッダカードの表面および裏面には、そのカードに固有の機械読み可能な識別記号として全く同じ組み合わせの色パターンがそれぞれ印刷されている。
【００１１】
処理装置１に銀行券を投入する前段の処理として、１処理単位（以下、バッチと称する）の被処理媒体例えば銀行の各支店から送られた１まとまりの同一金種の集積状態の銀行券の上に、上記１枚のヘッダカードを集積し得る。さらに、その上に次のバッチの被処理媒体として、銀行券およびヘッダカードを集積し得る。
【００１２】
また運用によっては、バッチの先端にヘッダカード、バッチの後端にトレーラカードを挿入することができる。この例ではヘッダカードとトレーラカードの両方を使用する場合について説明する。なお、各バッチの銀行券の枚数は同じとは限らない。このようにして、処理装置１に、１回に投入可能なバッチ数の銀行券、及び１バッチ毎にその先端を仕切るヘッダカード、及び１バッチ毎にその後端を仕切るトレーラカードからなる被処理媒体１１が集積して投入される。このとき、各バッチ毎に挿入したヘッダカードのバーコードに関連付けて、オペレータによって、各バッチの銀行券に関するデータとして、銀行名、支店名、銀行券の金種、枚数等が入力される。このようにして前処理時に入力されたバッチデータは、後段の処理装置１による計数結果との照合に用いられる。
【００１３】
投入部２の後段には、投入部２に投入されたヘッダカード、銀行券、及びトレーラカード（以下、総称して被処理媒体とする場合もある）をその前端のものから１枚ずつ取出す取出し機構３が設けられている。取出し機構３は、例えば紙葉類を上下または左右から挟持し、モータからの駆動を受けて、被処理媒体を所定のピッチで取出すようになっている。
【００１４】
なお、投入部２と取出し機構３との間には、投入部２前端に配置された被処理媒体の色を検知する色検知部１２が設けられている。
【００１５】
色検知部１２は１または２以上の色検知器を有しており、取り出される度に更新される先頭の紙葉類の色情報を観測し、図示しない取出し制御部に１枚ごとの色情報を通信する。この装置例では、色検知部１２には例えば２つの色検知器  色センサ１２Ａと色センサ１２Ｂが搭載されているものとして説明する。
【００１６】
取出し機構３の下流側には、吸着ローラ等により取出された被処理媒体を処理装置１内を通して搬送する搬送路４が延設されている。搬送路４上には、図示しない搬送ベルトや駆動プーリが配設され、図示しない駆動モータによって搬送ベルトを走行させることにより被処理媒体を搬送路４を介して一定速度で搬送させるようになっている。
【００１７】
取出し機構３から延びた搬送路４上には、搬送路４を介して搬送されている被処理媒体の特徴を検知し、判別するための判別ユニット５が設けられている。判別ユニット５には、例えば被処理媒体の特性を検出する図示しない検出部、及び検出部からの被処理媒体の検出情報を処理する図示しない検出情報処理部等が設けられ得る。
【００１８】
判別ユニット５の下流側の搬送路４上には、６つのゲートＧ１〜Ｇ７が順次配設されている。各ゲートＧ１〜Ｇ７は、判別ユニット５における検出結果に基づいて図示しない制御部による制御に従って切換えられ、当該被処理媒体を所定の処理部へ指向する。
【００１９】
判別ユニット５の直後に配設されたゲートＧ１は、搬送路４を排除搬送路４ａに分岐する位置に設けられ、判別ユニット５を介して正規の銀行券ではないことが検出された排除券やヘッダカードを排除搬送路４ａへ分岐するように切換えられる。排除搬送路４ａの終端には、取出し機構３にて取出した姿勢のまま、すなわち表裏を反転しないで、排除券やヘッダカードをその取出し、順序を変えずに集積する排除集積部８（排除部）が設けられている。例えば、投入部２に表面を上にして投入されて取出されたヘッダカードは、表面を上にして排除集積部８に集積される。排除集積部８には、この他に、銀行券を重ね取りしたもの、銀行券とヘッダカードを重ね取りしたもの、ヘッダカードを重ね取りしたもの、及びトレーラカードなどが集積される。
【００２０】
判別ユニット５で正常と判断された紙葉類は搬送部４をさらに進み、判別ユニット５の方向の情報により、次のゲートＧ２にて反転部１３へ行くか、あるいは反転部１３を通らずにそのまま進むかのいずれかに区別される。反転部１３は例えば紙葉類の表裏反転や正逆反転が可能な機構部であり、４つの異なる方向（表正、表逆、裏正、裏逆）で供給された紙葉類を１つの方向（例えば表正）、または２つの方向（例えば表正、表逆）に揃えることができる。この反転部１３は、必要に応じて、省略することができる。
【００２１】
また、ゲートＧ２の下流側の搬送路４に沿って設けられたゲートＧ３〜Ｇ７によって分岐された位置には、それぞれ集積・結束を行うための第１乃至第６の集積部９ａ〜９ｆ（以下、必要に応じて、総称して集積部９とする）が配設されている。集積部９には、ゲートＧ1を介して導かれた排除券以外の銀行券のうち再使用可能な正券だけが集積されて結束される。例えば第１および第２の集積部９ａ、９ｂには、表面を上にした正券が１００枚ずつ集積されて結束され、第３および第４の集積部９ｃ、９ｄには、裏面を上にした正券が１００枚ずつ集積されて結束される。集積部９で結束された正券は、図示しないコンベア等によって機外へ排出されて再使用に供される。
【００２２】
図２及び図３に、本発明に使用されるヘッダカードとトレーラカードの第１の例を各々示す。
【００２３】
この例では、被処理媒体は長方形であって、長辺と垂直の方向に搬送される。
【００２４】
図２に示すように、このヘッダカード３０１では、例えば１６０×８５ｃｍの大きさの長方形を有するカード基材３０７の両主面の中央部に、紙葉類の識別情報が記録された例えば４０×２０ｃｍの大きさのバーコード領域３０２が各々設けられている。また、この両主面上に、カード状基材３０７の長手方向の一端例えば図２中左端には、例えば４０×６０ｃｍの大きさの長方形を有し、第１の色をもつ第１の有色領域３０３が設けられ、一方、カード状基材３０７の長手方向の他端例えば図２中右端には、同様の大きさを有し、かつ第２の色をもつ第２の有色領域３０４が設けられ、このように、この有色領域は、表裏同一となる配置で両主面上に設けられている。さらに、カードの上下を識別し得るように、図示しない例えばバーコードの数字等を記載し得る。また、ヘッダカードの厚さは、銀行券との識別を容易にするため、銀行券の厚さと異なる厚さになっている。
【００２５】
なお、本発明に用いられる有色領域の色としては、色検知部で検知可能であれば、可視光領域に吸収を有する色に限るものではなく、紫外光、近赤外光、及び赤外光領域に吸収を有する色を適用し得る。また、第１の有色領域と第２の有色領域は、同じ色でも異なる色でも良い。
【００２６】
また、図３に示すように、トレーラカード７０１は、バーコード領域３０２が設けられず、第１の有色領域３０３及び第２の有色領域３０４の代わりに、カード状基材７０７上に第１の色と第２の色の組み合わせとは異なる色の組み合わせをもつ第１の有色領域７０２及び第２の有色領域７０３を設けること以外は、上記ヘッダカード３０１と同様の構成を有する。
【００２７】
ここでは、カード基材の両主面に有色領域を設けた例をあげたけれども、本発明では、上記有色領域は、カード基材の少なくとも一主面に設けられていれば良い。なお、カード基材の両主面に有色領域が形成されていると、表裏が逆になっても使用できるという利点がある。
【００２８】
ヘッダカード及びトレーラカードの特徴となる色の選択の方法は、処理対象となる例えば有価証券等の媒体で使用されている色とは異なる色合いを使用することが望ましい。これはカードと有価証券との色の類似性を低くし、誤判定例えばヘッダカードを媒体と誤判定することなどを回避するためである。例えば有価証券の１種である紙幣を例に取ると、米国のドルにおいては、表面は黒インクを基調として緑色の印章が印刷された２色刷り、裏面は濃い緑色の１色刷りである。このような単調な紙幣を媒体するケースでは、ヘッダカード、トレーラカードの識別色の選択範囲は広く、赤、青等の原色でもかまわない。ただし、前述の通り赤や青の筆記具やインクは広く使用されているため、誤判定する可能性が高いと考えられる。そのため、黄色や紫色や橙色のような一般の筆記具や証印では使用されない色を使う方が望まれる。
【００２９】
一方で、使用者の視認性を考慮して券種ごとに色合いを変えているケースも多々見られる。例えばユーロ紙幣においては、各紙幣の基調となる色は表１の通りである。
【表１】
2007079695.tif 000003
【００３０】
このようなケースでは、ヘッダカード、トレーラカードの色の選択に注意が必要であるが、色センサを複数持ち、かつそれぞれのセンサが異なる色を検知することで誤判定を回避することができる。例えば図２において第１の有色領域３０３を黄色、第２の有色領域３０４を橙色とすればほぼ間違いなくカードを検出できる。
【００３１】
次に、カードの色情報の登録手順について説明する。
【００３２】
まず登録するべきヘッダカードを投入部２にセットし、色センサ１２Ａおよび１２Ｂでヘッダカードの色を登録する。色センサ１２Ａ，１２Ｂは例えば３色の光源とフォトダイオード受光部との組み合わせで構成されており、ヘッダカード上の色の３色光源に対する反射率の比率でその色合いを登録する。また、色センサ１２Ａ，１２Ｂは、各々、被処理媒体上の所定の領域すなわちヘッダカード及びトレーラカードの第１の有色領域と第２の有色領域に相当する領域の色を検知する位置に設けられている。また、色センサ１２Ａ，１２Ｂは２つあるので、紙葉類の離散的な２箇所、または連続的な２箇所の色を検知できる。
【００３３】
例えば図２を例に取り、有色領域３０３が黄色、有色領域３０４が橙色とすると、色センサ１２Ａ，１２Ｂの３色光源に対する反射率は以下のようになる。
【表２】
2007079695.tif 000004
【００３４】
色の登録が終了したら次にヘッダカードと判断するための反射率の範囲を設定する。上記表２の登録時の反射率に対し、下記のような許容範囲を設定する。
【表３】
2007079695.tif 000005
【００３５】
カード検知センサ１２Ａ，１２Ｂの各光源に対する反射率が表３の範囲にすべて入れば、ヘッダカードであると識別する。
【００３６】
トレーラカードについても同様の登録作業を実施する。
【００３７】
例えば図３に示すトレーラカードの場合、第１の有色領域を緑色に、第２の有色領域を青色にすることができる。
【００３８】
このとき、色センサ１２Ａ，１２Ｂの３色光源に対する反射率は以下のようになる。
【表４】
2007079695.tif 000006
【００３９】
色の登録が終了したら次にトレーラカードと判断するための反射率の範囲を設定する。上記表４の登録時の反射率に対し、下記のような許容範囲を設定する。
【表５】
2007079695.tif 000007
【００４０】
カード検知センサ１２Ａ，１２Ｂの各光源に対する反射率が表５の範囲にすべて入れば、トレーラカードであると識別することができる。
【００４１】
なお上記登録作業は、対象となる媒体が変更された場合、またはヘッダカード、トレーラカード自体のロットが変更された場合等に再度実施し得る。また、許容範囲についても、実際の運用におけるカードの劣化状況を確認しながら、最適な数値に変更し得る。このようにして、簡単かつ正確な登録作業が実行し得る。
【００４２】
次に、図２に示すヘッダカードと図３に示すトレーラカードを用いたバッチ処理システムの一例について、図４に示す被処理媒体の色検知及び取り出しを行うためのフローチャート、図５に示す色検知部及び取出し機構のブロック図、及び図６及び図７に示す被処理媒体の識別を行うためのフローチャートを用いて説明する。
【００４３】
まず、ヘッダカード、集積された紙葉類、及びトレーラーカードを１バッチとして、複数のバッチをひとまとめにして紙葉類処理装置１の投入部１１に供給する（Ｓ１）。
【００４４】
次に、オペレータが作業開始の操作を図示しない業務操作部から指示する（Ｓ２）。
【００４５】
その後、この指示を受けて、投入部１１の先頭の被処理媒体の識別を開始する（Ｓ３）。
【００４６】
例えば第１の色センサ１２Ａにより検知された第１の有色領域の反射率を検知情報として媒体識別部１０１へ送り、図６に示すように、ヘッダカードを表す第１の信号であるかすなわち表３に示す許容範囲内であるか判別する（Ｓ２１）。許容範囲に入らない場合は終了し、許容範囲に全て入る場合は第２の色センサ１２Ｂにより検知された第２の有色領域の反射率情報を媒体識別部１０１へ送り、ヘッダカードを表す第１の信号であるかすなわち表３に示す許容範囲内であるか判別する（Ｓ２２）。許容範囲に入らない場合は終了し、許容範囲に入る場合はヘッダカードと識別する（Ｓ２３）。
【００４７】
被処理媒体の識別結果に基づいて取出し制御部１０２にて先頭の被処理媒体がヘッダカードであるか判定する（Ｓ４）。
【００４８】
ヘッダカードである場合、取出し機構３における被処理媒体の取出し開始を決定し、この決定結果を受けて、取出し制御部１０２から取出し機構３へ取出し開始を指示する（Ｓ５）。
【００４９】
一方、ヘッダカードではない場合、ヘッダカード以外の媒体であることを確認し（Ｓ６）、セッティグミスあるいは検知センサの異常による取出し操作エラーを決定し、この決定結果を受けて、取出し制御部から表示部１０３にエラーメッセージを通信してその旨を表示する（Ｓ７）。
【００５０】
取出が開始されると、色検知センサ１２Ａ，１２Ｂは、被処理媒体が取出される毎に、投入部１１の取り出し方向先端に位置する後続の被処理媒体の色検知を順次行って、次のように、後続の被処理媒体を識別する。
【００５１】
例えば第１の色センサ１２Ａにより検知された第１の有色領域の反射率は検知情報として媒体識別部１０１へ送られて、図７に示すように、ヘッダカードを表す第１の信号であるかすなわち表３に示す許容範囲内であるか判別される（Ｓ３１）。許容範囲に全て入る場合は、第２の色センサ１２Ｂにより検知された第２の有色領域の反射率情報が、媒体識別部１０１にて、ヘッダカードを表す第１の信号であるかすなわち表３に示す許容範囲内であるか判別される（Ｓ３２）。許容範囲に入る場合はヘッダカードと識別される（Ｓ３３）。ヘッダカードを表す第１の信号に関する許容範囲に入らない場合と、第１の色センサ１２Ａにより検知された反射率情報が第１の信号ではないすなわち表３に示す許容範囲内でない場合には、媒体識別部１０１へ送られた第１の色センサ１２Ａの反射率情報がトレーラカードを表す第２の信号であるかすなわち表５に示す許容範囲であるか判別される（Ｓ３４）。第２の信号でない場合は、紙幣と識別される（Ｓ３５）。第２の信号である場合は、媒体識別部１０１へ送られた第２の色センサ１２Ｂの反射率情報がトレーラカードを表す第２の信号であるかすなわち表５に示す許容範囲であるか判別される（Ｓ３６）。そうでない場合は紙幣と識別し、そうである場合はトレーラカードと識別される（Ｓ３７）。
【００５２】
上述の後続の被処理媒体の識別の結果、後続の被処理媒体がヘッダカードである場合、１つ前がトレーラカードであるか判別する（Ｓ９）。
【００５３】
１つ前がトレーラカードである場合、取り出しを開始する（Ｓ１０）。
【００５４】
１つ前がトレーラカードでない場合、カード順番異常であることを識別する（Ｓ１１）。この識別結果を取出し制御部３に通知し、取出し制御部３から表示部１０３にエラーメッセージを通信してその旨を表示する（Ｓ１２）。
【００５５】
上述の後続の被処理媒体の識別の結果、後続の被処理媒体がヘッダカードでもトレーラカードでもないと判別された場合、取り出しを開始する（Ｓ１３）。
【００５６】
上述の後続の被処理媒体の識別の結果、後続の被処理媒体がトレーラカードであると判別された場合、トレーラカードの取り出しを開始する（Ｓ１４）。続いて、次の被処理媒体があるかどうか確認して、取出し制御部１０２に通知する（Ｓ１５）。次の被処理媒体が無ければ取出し制御部１０２にて取出し機構における被処理媒体の取出し停止を決定し、取出し制御部１０２から取出し機構３へ取出し停止を指示し、一連のバッチ処理を終了する。次の被処理媒体があれば、取出し制御部１０２にてＸ枚分の取出し停止を決定し、取出し機構における被処理媒体の取出しを例えばＸ枚分の取出しに相当する時間だけ停止した後、再開することを指示する（Ｓ１６）。
【００５７】
尚、上記バッチ処理システムの一例では、２つの色センサを用いた例を説明したが、本発明では、１つの色センサを使用することも可能である。
【００５８】
図８に、１つの色センサを使用した場合の色検知部及び取出し機構のブロック図、図９に、１つの色センサを使用した場合の先頭の被処理媒体の識別を行うためのフローチャート、図１０に、１つの色センサを使用した場合の後続の被処理媒体の識別を行うためのフローチャートを各々示す。
【００５９】
図４の先頭の被処理媒体の識別（Ｓ３）において、図８及び図９に示すように、１つの色センサを使用した場合は、例えば色検知部１２にて色センサにより検知された第１の有色領域の反射率を検知情報として媒体識別部１０１へ送り、ヘッダカードを表す第１の信号であるかすなわち表３に示す許容範囲内であるか判別する（Ｓ４１）。許容範囲に入らない場合は終了し、許容範囲に全て入る場合はヘッダカードと識別することができる（Ｓ４２）。
【００６０】
また、図４の後続の媒体の識別（Ｓ８）において、図８及び図１０に示すように、例えば色センサにより検知された第１の有色領域の反射率が、検知情報として媒体識別部１０１へ送られて、ヘッダカードを表す第１の信号であるかすなわち表３に示す許容範囲内であるか判別される（Ｓ５１）。許容範囲に全て入る場合はヘッダカードと識別される（Ｓ５２）。第１の有色領域の反射率がヘッダカードを表す第１の信号に関する許容範囲に入らない場合と、第１の色センサ１２Ａにより検知された反射率情報が第１の信号ではないすなわち表３に示す許容範囲内でない場合には、媒体識別部１０１へ送られた第１の色センサ１２Ａの反射率情報がトレーラカードを表す第２の信号であるかすなわち表５に示す許容範囲であるか判別される（Ｓ５３）。第１の色センサ１２Ａの反射率情報が第２の信号でない場合は紙幣と識別され（Ｓ５４）、第２の信号である場合は、トレーラカードと識別され得る（Ｓ５５）。
【００６１】
本発明の紙葉類処理装置を用いると、簡便に検知し得る仕切りカードを用いて、作業単位毎に紙葉類の取出し操作を制御し得る。例えば１つのバッチの開始をヘッダカードの検知により、及び１つのバッチの終了をトレーラカードの検知により終了することが可能である。紙葉類処理装置内でジャムが発生した場合など、異なるバッチ間での紙葉類の入り繰りを防止することができる。またヘッダカード、トレーラカードの色情報登録を自由に行うことができるため、紙葉類の種類の変更に伴いヘッダカード、トレーラカードが変更された場合にも迅速に対応ができる。
【００６２】
以下に、本発明に係るヘッダカード、及びこのヘッダカードと併用し得るトレーラカードの他の例について説明する。
【００６３】
図１１及び図１２は、本発明に使用されるヘッダカードとトレーラカードの第２の例を各々示す。
【００６４】
この例では、被処理媒体は長方形であって、長辺と垂直の方向に搬送される。
【００６５】
図１１に示すように、このヘッダカード４０１は、第１の有色領域３０３の代わりに、図中、カード状基材４０７両主面の左端に、各々、第１の有色領域３０３を上下に２分割したパターンの有色領域を設け、その上部に第１の有色領域４０３，下部に第２の有色領域４０４を配置し、同様に第２の有色領域３０４の代わりに、図中右端に、第２の有色領域３０４を上下に２分割したパターンの有色領域を設け、その上部に第３の有色領域４０５，下部に第４の有色領域４０６が設けられること以外は、図２に示すヘッダカードと同様の構成を有する。このヘッダカード４０１では、第１の有色領域４０３、第２の有色領域４０４，第３の有色領域４０５、及び第４の有色領域４０６のパターンは、各々、点対称、かつ表裏同一に配置されている。例えば第１の色センサ及び第２の色センサを上部の有色領域を検知するように設定し、第１の有色領域４０３及び第４の有色領域４０６を同じ第１の色、第２の有色領域４０４及び第３の有色領域４０５を同じ第２の色にすることにより、ヘッダカードが上下逆転、及び表裏逆転した場合でも、常に、第１の色センサで第１の有色領域、第２の色センサで第２の有色領域を検知することができる。
【００６６】
また、このヘッダカード４０１と好適に併用し得るトレーラカードの一例を図１２に示す。
【００６７】
図示するように、このトレーラカード８０５は、カード基材８０７の両主面上に、バーコード領域４０２がなく、第１の有色領域８０２，第２の有色領域８０３、第３の有色領域８０４，及び第４の有色領域８０５の色の組み合わせが、第１の有色領域４０３，第２の有色領域４０４，第３の有色領域４０５、及び第４の有色領域４０６の色の組み合わせと異なる色の組み合わせを有すること以外は図１１と同様の構成を有する。
【００６８】
尚、異なる色の組み合わせは、第１の色ないし第４の色の組み合わせと完全に一致しなければ良く、例えば１色のみが異なる色であったり、組み合わせの順番が異なる場合を含む。
【００６９】
図１３及び図１４は、本発明に使用されるヘッダカードとトレーラカードの第３の例を各々示す。
【００７０】
この例では、被処理媒体は長方形であって、長辺と平行な方向に搬送される。
【００７１】
図１３に示すように、このヘッダカード５０１は、例えば１６０×８５ｃｍの大きさの長方形を有するカード状基材５０７、カード状基材５０７の両主面の中央部に、紙葉類の識別情報が記録された例えば４０×２０ｃｍの大きさのバーコード領域５０２が各々設けられている。また、この両主面上に、カード状基材５０７の幅方向の一端例えば図１３中上端には、例えば１４０×２０ｃｍの大きさの長方形を有し、第１の色をもつ第１の有色領域５０３が設けられ、一方、カード状基材５０７の長手方向の他端すなわち図１３中下端には、同様の大きさを有し、かつ第２の色をもつ第２の有色領域５０４が設けられる。このように、この有色領域は、表裏同一となる配置で両主面上に設けられている。さらに、カードの上下を識別し得るように、図示しない例えばバーコードの数字等を記載し得る。
【００７２】
また、図１４に示すように、トレーラカード９０１は、バーコード領域５０２が設けられず、第１の有色領域５０３及び第２の有色領域５０４の代わりに、カード状基材９０７上に第１の色と第２の色の組み合わせとは異なる色の組み合わせをもつ第１の有色領域９０２及び第２の有色領域９０３を設けること以外は、上記ヘッダカード５０１と同様の構成を有する。
【００７３】
図１５及び図１６は、本発明に使用されるヘッダカードとトレーラカードの第４の例を各々示す。
【００７４】
この例では、被処理媒体は長方形であって、長辺と平行な方向に搬送される。
【００７５】
図１５に示すように、このヘッダカード６０１は、図１３の第１の有色領域５０２の代わりに、図中、カード状基材６０７両主面の上端に、各々、第１の有色領域５０２を左右に２分割したパターンの有色領域を設け、その左側に第１の有色領域６０３，右側に第３の有色領域６０５を配置し、同様に第２の有色領域５０４の代わりに、図中下端に、図１３の第２の有色領域５０４を上下に２分割したパターンの有色領域を設け、その左側に第３の有色領域６０４，右側に第４の有色領域６０６が設けられること以外は、図１３に示すヘッダカードと同様の構成を有する。このヘッダカード６０１では、第１の有色領域６０３、第２の有色領域６０４，第３の有色領域６０５、及び第４の有色領域６０６のパターンは、各々、点対称、かつ表裏同一に配置されている。例えば第１の色センサ及び第２の色センサを上部の有色領域を検知するように設定し、第１の有色領域６０３及び第４の有色領域６０６を同じ第１の色、第２の有色領域６０４及び第３の有色領域６０５を同じ第２の色にすることにより、ヘッダカードが上下逆転、及び表裏逆転した場合でも、常に、第１の色センサで第１の色、第２の色センサで第２の色を検知することができる。
【００７６】
また、このヘッダカード６０１と好適に併用し得るトレーラカードの一例を図１６に示す。
【００７７】
図示するように、このトレーラカード１００１は、カード基材１００７の両主面上に、バーコード領域６０２がなく、第１の有色領域１００２，第２の有色領域１００３、第３の有色領域１００４，及び第４の有色領域１００５の色の組み合わせが、第１の有色領域６０３，第２の有色領域６０４，第３の有色領域６０５、及び第４の有色領域６０６の色の組み合わせと異なる色の組み合わせを有すること以外は図１５と同様の構成を有する。
【００７８】
なお、上記ヘッダカード、及びトレーラカード各例で、２色の有色領域を２つの色検知器で検知すると、被処理媒体が故意にまたは事故的に着色された場合に媒体をカードと誤判定することを回避することができる。例えば有価証券には、赤色ペンや青色ペンによる落書き（Graffiti）や把束に押印するべき印章が誤って押されたりするケースが見受けられる。このようなケースでは、同一の色が複数の箇所で観測されることはまれであるため、２箇所以上の検知領域は効果的である。
【００７９】
また、色検知器１２Ａおよび１２Ｂは、本発明の装置で処理可能な被処理媒体のうち、最小サイズの媒体を検知可能な位置に設置することが望ましい。そのようにしないと、小型の媒体が投入部の先端に配置されても、これを検知できずに、後続の媒体を検知するという問題が生じる傾向がある。
【図面の簡単な説明】
【００８０】
【図１】本発明に係る紙葉類処理装置の一例の概略構成図
【図２】本発明に使用されるヘッダカードの第１の例を表す正面図
【図３】本発明に使用されるトレーラカードの第１の例を表す正面図
【図４】被処理媒体の色検知及び取り出しを行うためのフローチャート
【図５】色検知部及び取出し機構の一例のブロック図
【図６】被処理媒体の識別を行うためのフローチャート
【図７】被処理媒体の識別を行うためのフローチャート
【図８】色検知部及び取出し機構の他の例のブロック図
【図９】被処理媒体の識別を行うためのフローチャート
【図１０】被処理媒体の識別を行うためのフローチャート
【図１１】本発明に使用されるヘッダカードの第２の例を表す正面図
【図１２】本発明に使用されるトレーラカードの第２の例を表す正面図
【図１３】本発明に使用されるヘッダカードの第３の例を表す正面図
【図１４】本発明に使用されるトレーラカードの第３の例を表す正面図
【図１５】本発明に使用されるヘッダカードの第４の例を表す正面図
【図１６】本発明に使用されるトレーラカードの第４の例を表す正面図
【符号の説明】
【００８１】
１…紙葉類処理装置、２…投入部、３…取出し機構、５…判別ユニット、９…集積部、８…排除部、１１…紙葉類、１２…色検知部、１０２…取出し制御部、３０１，４０１，５０１，６０１…ヘッダカード、３０２，４０２，５０２，６０２…バーコード領域、３０７，４０７，５０７，６０７，７０７，８０７，９０７，１００７…カード状基材、３０３，３０４，４０３，４０４，４０５，４０６，５０３，５０４，６０３，６０４，６０５，６０６，７０２，７０３，８０２，８０３，８０４，８０５，９０２，９０３，１００２，１００３，１００４，１００５…有色領域、７０１，８０１，９０１，１００１…トレーラカード
【図１】
2007079695.tif 000008
【図２】
2007079695.tif 000009
【図３】
2007079695.tif 000010
【図４】
2007079695.tif 000011
【図５】
2007079695.tif 000012
【図６】
2007079695.tif 000013
【図７】
2007079695.tif 000014
【図８】
2007079695.tif 000015
【図９】
2007079695.tif 000016
【図１０】
2007079695.tif 000017
【図１１】
2007079695.tif 000018
【図１２】
2007079695.tif 000019
【図１３】
2007079695.tif 000020
【図１４】
2007079695.tif 000021
【図１５】
2007079695.tif 000022
【図１６】
2007079695.tif 000023